(57)【要約】【課題】用途や設置形態に応じて、開閉操作のための指掛りを様々な部位に設けることができるように、框材および関連部材の断面形状や連結形態をシステム化する。【解決手段】縦框４の本体部分４０の外縁部に沿って面材収容溝４Ｇが設けられるとともに、本体部分４０の支保面部４１の中間部分に上下方向に延びる操作凹部４７が形成され、その本体部分４０の内縁部に引手框６が添設される。引手框６は、前後両側の面材１２を裏支えする支保面部６１と、その外縁部に沿って設けられた面材収容溝６Ｇと、を具備して、横框（上框２・下框３）に対し、引手框６の面材収容溝６Ｇと横框の面材収容溝２Ｇ、３ＧとがＬ字形に連続するように組み付けられる。引手框６の面材収容溝６Ｇに面材１２の縦方向の縁部が収容されることで、縦框４の支保面部４１に形成された操作凹部４７が面材１２に隠れずに露出して、戸体１を開閉する際の指掛りとなる。【選択図】図６
2020122276.tif 000002
【特許請求の範囲】
【請求項１】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記両面材が対向して框体に組み付けられる戸体において、
前記縦框は、前後両側の面材に挟まれて両面材の間隔を一定に保持する本体部分を備え、
前記本体部分には、前記両面材を裏支えする前後一対の支保面部が形成され、
前記各支保面部の外縁部に沿って前記面材収容溝が設けられるとともに、
前記各支保面部の左右方向における中間部分には上下方向に延びる操作凹部が形成されており、
前記一対の縦框の少なくとも一方については、その本体部分の内縁部に引手框が添設され、
前記引手框は、前後両側の面材に挟まれて前記両面材を裏支えする前後一対の支保面部と、前記支保面部の外縁部に沿って設けられた前後一対の面材収容溝と、を具備して、
前記引手框は前記横框に対し、前記引手框の面材収容溝と前記横框の面材収容溝とが正面視Ｌ字形に連続するように組み付けられ、
前記引手框の面材収容溝に前記面材の縦方向の縁部が収容されることにより、前記縦框の支保面部に形成された操作凹部が前記面材に隠れずに露出して、戸体を開閉する際の指掛りとなる
ことを特徴とする戸体。
【請求項２】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記両面材が対向して框体に組み付けられる戸体において、
前記縦框は、前後両側の面材に挟まれて両面材の間隔を一定に保持する本体部分を備え、
前記本体部分には、前記両面材を裏支えする前後一対の支保面部が形成され、
前記各支保面部の外縁部に沿って前記面材収容溝が設けられるとともに、
前記各支保面部の左右方向における中間部分には上下方向に延びる操作凹部が形成されており、
前記両縦框の間に１本ないし複数本の横中桟が取り付けられ、
前記横中桟は、前後両側の面材に挟まれて前記両面材の間隔を一定に保持する本体部分を備え、
前記本体部分には、その上下両向きに開口する前後二か所ずつ、計四か所の面材収容溝が設けられ、
前記横中桟は前記縦框に対し、前記横中桟の面材収容溝と前記縦框の面材収容溝とが正面視横Ｔ字形に連続するように接合されるとともに、
前記横中桟によって上下方向に分割された区画の少なくとも一か所において、前記縦框の本体部分の内縁部に引手框が添設され、
前記引手框は、前後両側の面材に挟まれて前記両面材を裏支えする前後一対の支保面部と、前記支保面部の外縁部に沿って設けられた前後一対の面材収容溝と、を具備して、
前記引手框は前記横框または横中桟に対し、前記引手框の面材収容溝と前記横框または横中桟の面材収容溝とが正面視Ｌ字形に連続するように組み付けられ、
前記引手框の面材収容溝に当該区画の面材の縦方向の縁部が収容されることにより、当該区画においては前記縦框の支保面部に形成された操作凹部が前記面材に隠れずに露出して、戸体を開閉する際の指掛りとなる
ことを特徴とする戸体。 
【請求項３】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記両面材が対向して框体に組み付けられる戸体において、
前記縦框は、前後両側の面材に挟まれて両面材の間隔を一定に保持する本体部分を備え、
前記本体部分には、前記両面材を裏支えする前後一対の支保面部が形成され、
前記各支保面部の外縁部に沿って前記面材収容溝が設けられており、
前記両横框の間に１本ないし複数本の縦中桟が取り付けられ、
前記縦中桟は、前後両側の面材に挟まれて前記両面材の間隔を一定に保持する本体部分を備え、
前記本体部分には、その左右方向における中間部分にて上下方向に延びる操作凹部が形成されるとともに、
前記操作凹部を間に挟んで、その左右両側に、前後二か所ずつ、計四か所の面材収容溝がそれぞれ前記操作凹部と反対向きに開口するように設けられ、
前記縦中桟は前記横框に対し、前記縦中桟の面材収容溝と前記横框の面材収容溝とが正面視横Ｔ字形に連続するように接合され、
前記縦中桟の面材収容溝に前記面材の縦方向の縁部が収容されることにより、前記縦中桟の本体部分に形成された操作凹部が前記面材に隠れずに露出して、戸体を開閉する際の指掛りとなる
ことを特徴とする戸体。
【請求項４】
請求項１、２または３に記載された戸体において、
前記横框、縦框または横中桟の少なくともいずれか一つに対して、前後一対の傾斜面部と、それら両傾斜面部の裾縁から延設されて互いに対向する前後一対の支保面部と、を有する補助材が添設された
ことを特徴とする戸体。
【発明の詳細な説明】
【技術分野】
【０００１】
本願は、出入口や間仕切り等の建具に用いられる戸体に関する。
【背景技術】
【０００２】
屋内の出入口や間仕切り等の建具に用いられる軽量タイプの戸体として、ペーパーハニカムボード等からなる芯材の前後両面に、化粧合板や樹脂板等からなる薄い面材を対向するように張設し、その四周にアルミ合金や合成樹脂等からなる框材（縁枠材）を組み付けた（中空構造の）戸体が広く利用されている（例えば、特許文献１、２等）。
【０００３】
特許文献３には、その種の戸体をレールから吊持する吊下げ式の引戸に関して、戸体（障子）を左右に移動させる際の指掛りとなる操作溝部を、戸体の左右の縦框の見付け面に、その全長にわたって形成した構成が開示されている。このような操作溝部を縦框と一体的に設けると、面材に掘り込みや切欠を形成するなどして引手等を取り付ける手間を省くことができる。
【先行技術文献】
【特許文献】
【０００４】
【特許文献１】特開２０００−１７９６０号公報
【特許文献２】特開２０１２−１１７３１９号公報
【特許文献３】特開２０１８−１２７８２４号公報
【発明の概要】
【発明が解決しようとする課題】
【０００５】
特許文献３に記載された戸体は、指掛りとなる操作溝部が左右両側の縦框に形成される構成になっている。しかし、戸体の開閉方式が、例えば片引き、引込み、引分け等の場合は、指掛りが必要になるのは戸先側だけなので、戸尻側にまで操作溝部を設けるのは無駄になる。また、特許文献３に記載された戸体は、操作溝部が縦框の全長にわたって形成されているが、戸体の高さ方向における中間部だけに指掛りを設けたい場合もある。このように、特許文献３に記載された戸体は、指掛りの配置に関する設計上の自由度がないので、建具としての用途や設置形態が限定されてしまう。
【０００６】
本願が開示する発明は、用途や設置形態に応じて、開閉操作のための指掛りを様々な部位に設けることができるように、框体を構成する框材および関連部材の断面形状や連結形態をシステム化した戸体を提供するものである。
【課題を解決するための手段】
【０００７】
本願が開示する発明の戸体は、上下一対の横框と左右一対の縦框とを四周組みして框体が形成され、前記框体の外縁部の前後両側に面材収容溝が設けられて、前記面材収容溝に前後両側の面材の縁部が収容されることにより、前記両面材が対向して框体に組み付けられる戸体において、前記縦框が、前後両側の面材に挟まれて両面材の間隔を一定に保持する本体部分を備え、前記本体部分には、前記両面材を裏支えする前後一対の支保面部が形成され、前記各支保面部の外縁部に沿って前記面材収容溝が設けられる、という基本構造を備える。
【０００８】
そして、第１の発明は、前述の基本構造に加えて、前記各支保面部の左右方向における中間部分には上下方向に延びる操作凹部が形成されるとともに、前記一対の縦框の少なくとも一方については、その本体部分の内縁部に引手框が添設され、前記引手框は、前後両側の面材に挟まれて前記両面材を裏支えする前後一対の支保面部と、前記支保面部の外縁部に沿って設けられた前後一対の面材収容溝と、を具備して、前記引手框は前記横框に対し、前記引手框の面材収容溝と前記横框の面材収容溝とが正面視Ｌ字形に連続するように組み付けられ、前記引手框の面材収容溝に前記面材の縦方向の縁部が収容されることにより、前記縦框の支保面部に形成された操作凹部が前記面材に隠れずに露出して、戸体を開閉する際の指掛りとなる、との構成を採用する。
【０００９】
この構成によれば、縦框の本体部分に形成された操作凹部が面材に隠れることなく、縦框の略全長にわたって露出するので、この操作凹部を、戸体を開閉する際の指掛かりとして好適に利用することが可能になる。
【００１０】
次に、第２の発明は、前述の基本構造に加えて、前記各支保面部の左右方向における中間部分には上下方向に延びる操作凹部が形成されるとともに、前記両縦框の間に１本ないし複数本の横中桟が取り付けられ、前記横中桟は、前後両側の面材に挟まれて前記両面材の間隔を一定に保持する本体部分を備え、前記本体部分には、その上下両向きに開口する前後二か所ずつ、計四か所の面材収容溝が設けられ、前記横中桟は前記縦框に対し、前記横中桟の面材収容溝と前記縦框の面材収容溝とが正面視横Ｔ字形に連続するように接合されるとともに、前記横中桟によって上下方向に分割された区画の少なくとも一か所において、前記縦框の本体部分の内縁部に引手框が添設され、前記引手框は、前後両側の面材に挟まれて前記両面材を裏支えする前後一対の支保面部と、前記支保面部の外縁部に沿って設けられた前後一対の面材収容溝と、を具備して、前記引手框は前記横框または横中桟に対し、前記引手框の面材収容溝と前記横框または横中桟の面材収容溝とが正面視Ｌ字形に連続するように組み付けられ、前記引手框の面材収容溝に当該区画の面材の縦方向の縁部が収容されることにより、当該区画においては前記縦框の支保面部に形成された操作凹部が前記面材に隠れずに露出して、戸体を開閉する際の指掛りとなる、との構成を採用する。
【００１１】
この構成によれば、横中桟によって上下方向に分割された区画のいずれかを任意に選択し、その区画では縦框に引手框を添設して、縦框に形成された操作凹部を露出させることができるので、この操作凹部を、戸体を開閉する際の指掛かりとして好適に利用することが可能になる。
【００１２】
さらに、第３の発明は、前述の基本構造に加えて、前記両横框の間に１本ないし複数本の縦中桟が取り付けられ、前記縦中桟は、前後両側の面材に挟まれて前記両面材の間隔を一定に保持する本体部分を備え、前記本体部分には、その左右方向における中間部分にて上下方向に延びる操作凹部が形成されるとともに、前記操作凹部を間に挟んで、その左右両側に、前後二か所ずつ、計四か所の面材収容溝がそれぞれ前記操作凹部と反対向きに開口するように設けられ、前記縦中桟は前記横框に対し、前記縦中桟の面材収容溝と前記横框の面材収容溝とが正面視横Ｔ字形に連続するように接合され、前記縦中桟の面材収容溝に前記面材の縦方向の縁部が収容されることにより、前記縦中桟の本体部分に形成された操作凹部が前記面材に隠れずに露出して、戸体を開閉する際の指掛りとなる、との構成を採用する。
【００１３】
この構成によれば、戸体の左右方向における任意の位置に縦中桟を配置し、その縦中桟に形成された操作凹部を戸体の高さ一杯にわたって露出させることができるので、この操作凹部を、戸体を開閉する際の指掛かりとして好適に利用することが可能になる。
【００１４】
さらに、第１、第２または第３の発明においては、前記横框、縦框または横中桟の少なくともいずれか一つに対して、前後一対の傾斜面部と、それら両傾斜面部の裾縁から延設されて互いに対向する前後一対の支保面部と、を有する補助材が添設されてもよい。この構成によれば、各框材や横中桟の面材収容溝に面材の縁部を挿し込む際の誘導が容易になり、組み付けられた面材のバタつきも抑制される。
【発明の効果】
【００１５】
本願が開示する発明にかかる戸体は、縦框と横框とを四周組みして形成される基本構造としての框体に、オプション部材としての引手框、横中桟または縦中桟を選択的に取り付けることができるように構成されるとともに、縦框および縦中桟については、あらかじめその本体部分に操作凹部が形成されている。したがって、それらの部材の組み合わせ次第で、戸体を開閉する際の指掛かりを、縦框に沿ってその高さ一杯に設けたり、縦框に沿って任意の高さに部分的に設けたり、縦框から離して戸体の左右方向における中間部に設けたりするなど、戸体の大きさや設置形態に応じて指掛りを柔軟に配置することが可能になる。かくして、戸体の意匠性および施工性が向上し、施工コストの低減も図られる。
【図面の簡単な説明】
【００１６】
【図１】本願が開示する戸体の基本構造を示す分解斜視図である。
【図２】図１の戸体を構成する横框の材軸直交方向断面図であり、（ａ）は上框、（ｂ）は下框をそれぞれ示す。
【図３】図１の戸体を構成する縦框の材軸直交方向断面図である。
【図４】図１の戸体を構成する縦框と横框との接合構造を示す部分正面図である。
【図５】図１の戸体を構成する框材に添設される補助材の材軸直交方向断面図である。
【図６】本願が開示する発明の第１実施形態に係る戸体の（ａ）全体正面図および（ｂ）横断面図である。
【図７】図６の戸体を構成する引手框の材軸直交方向断面図である。
【図８】図６の戸体を構成する引手框と横框との接合構造を示す部分斜視図である。
【図９】本願が開示する発明の第２実施形態に係る戸体の（ａ）全体正面図および（ｂ）縦断面図である。
【図１０】図９の戸体を構成する横中桟の材軸直交方向断面図である。
【図１１】図９の戸体を構成する横中桟と縦框と引手框との接合構造を示す部分斜視図である。
【図１２】本願が開示する発明の第３実施形態に係る戸体の（ａ）全体正面図および（ｂ）横断面図である。
【図１３】図１２の戸体を構成する縦中桟の材軸直交方向断面図である。
【図１４】図１２の戸体を構成する縦中桟と横框との接合構造を示す部分斜視図である。
【発明を実施するための形態】
【００１７】
以下、本願が開示する発明の実施形態について、図面を参照しつつ説明する。
【００１８】
なお、以下の説明において、部材、部位等の位置関係や向きを特定する際には、建物の開口面等を閉じるように設置された戸体を面直方向から見た状態を正面として、開口面および戸体の高さ方向を上下方向または縦方向、開口面および戸体の間口方向を左右方向または横方向、開口面に直交する方向を前後方向または見込み方向として説明する。また、開口面および戸体の外周側を外側、中心部側を内側と呼ぶこととする。
【００１９】
＜戸体の基本構造＞
図１は、本願が開示する戸体１の基本構造を示す。戸体１は、正面視略矩形の框体１１と、その前後両面に組み付けられた面材１２と、を最小限の構成要素として具備する。
【００２０】
框体１１は、上下一対の横框（上框２・下框３）と左右一対の縦框４とを四周組みして形成される。それらの框材はいずれもアルミ合金製の押出形材からなり、材軸直交方向の断面形状は、材軸方向について一様、かつ框体１１の前後方向について対称になっている。框体１１の外縁部の前後両側には、面材１２の厚さに対応する溝幅の面材収容溝が、その開口を框体１１の内側に向けて設けられている。その面材収容溝に面材１２の四周の縁部が収容されることにより、前後両側の面材１２が所定間隔を保持して框体１１に組み付けられる。
【００２１】
なお、本願が開示する戸体１は、面材１２の種類や材質は特に限定しない。面材１２は、少なくとも周縁部が略一様の厚さで裏面が略平坦であればよく、木質や合成樹脂製の化粧板材、金属製の薄板材、ガラス板材、あるいはそれらの複合材等を適宜選択して利用することができる。また、部位によって異なる種類の面材を用いることも可能である。
【００２２】
この戸体１が引戸として設置される場合は、例えば下框３の両端近傍に戸車１３（図６、図９参照）が取り付けられて、その戸車１３が床レール（図示せず）上を転動するように建て込まれるか、あるいは、上框２の両端近傍に吊り車１４（図６、図９参照）が取り付けられて、その吊り車１４が天井の吊りレール（図示せず）に吊持される。そのような引戸においては、戸体１の前後両側の適所（主として戸先近傍）に、戸体１を左右に移動させる際の指掛りを設ける必要がある。本願が開示する戸体１は、戸車１３や吊り車１４を框体１１に納まりよく組み付けることができるとともに、戸体１を移動させる際の指掛りを、戸体１の設置形態に応じて様々な部位に設けることができるように、框体１１を構成する框材および関連部材の断面形状や連結形態をシステム化したものである。まず、基本構造となる框体１１を構成する框材の断面形状を、図２〜図３に拡大して示す。
【００２３】
上框２は、図２（a）に示すように、前後両側の面材１２に挟まれて両面材１２の間隔を一定に保持する本体部分２０を備える。本体部分２０は、縦長の略矩形断面をなしており、両面材１２を裏支えする前後一対の支保面部２１と、支保面部２１の上縁部同士を前後方向に接続する上側見込み部２２と、支保面部２１の下縁部同士を前後方向に接続する下側見込み部２３と、によって中空状に囲まれている。上側見込み部２２は略平坦で、その前後両縁部には、上側見込み部２２と同一面をなすように張り出す面材包囲部２４と、両面材包囲部２４の縁部からそれぞれ下向きに延出する面材押え片２５と、が設けられている。これら面材包囲部２４および面材押え片２５と、支保面部２１とによって形成される断面コ字形の溝部が、上框２の面材収容溝２Ｇとなる。各支保面部２１の下側寄りには、前後一対の補強リブ２１１が中空側に向けて突設されている。
【００２４】
この戸体１が吊下げ式の引戸として設置される場合は、上框２の上側見込み部２２の両端近傍に切欠部２２９（図１参照）が形成され、吊り車１４のブラケット１４１が上框２の両端近傍から本体部分２０内に収容されて、吊り車１４の吊り軸１４２が切欠部２２９を通じて上方に延び出し、その上部に走行ローラ１４３が取り付けられる（図９（ｂ）参照）。
【００２５】
両支保面部２１の見付け面には、互いに平行に延びる上下二段の支保突条２１２がそれぞれ形成されており、これらの支保突条２１２が面材１２の裏面に当接する。前後両側の支保突条２１２の頂面間寸法が、両面材１２間の保持間隔Ｄとなる。
【００２６】
下段の支保突条２１２よりも下側の部分は、上側の部分よりも若干、見込み寸法が小さくなっていて、その見付け面には、後述する補助材５（図５）を連結するための係合凹部２６が形成されている。また、下側見込み部２３の下面は略平坦な水平面となされ、その中央部には上框２の見込み方向における中心位置を示す略Ｖ字断面の溝罫２０８が形成されている。下側見込み部２３の上面側にはタッピングホール２０９が形成されていて、このタッピングホール２０９は上框２と縦框４とのビス止めに利用される（詳細は後述）。
【００２７】
下框３は、図２（ｂ）に示すように、前後両側の面材１２に挟まれて両面材１２の間隔を一定に保持する本体部分３０を備える。本体部分３０は、縦長の略矩形断面をなしており、両面材１２を裏支えする前後一対の支保面部３１と、支保面部３１の上下方向における中間部同士を前後方向に接続する中間見込み部３２と、支保面部３１の上縁部同士を前後方向に接続する上側見込み部３３と、によって中空状に囲まれている。中間見込み部３２よりも下方に延びた支保面部３１の下縁部には、前方および後方にそれぞれ張り出す面材包囲部３４と、両面材包囲部３４の縁部からそれぞれ上向きに延出する面材押え片３５と、が設けられている。これら面材包囲部３４および面材押え片３５と、支保面部３１とによって形成される断面コ字形の溝部が、下框３の面材収容溝３Ｇとなる。
【００２８】
この戸体１が引戸として設置される場合は、両支保面部３１と中間見込み部３２とに囲まれて下向きに開口する略溝形の底部空間に、戸車１３や走行ガイド部材等が適宜取り付けられる（図９参照）。
【００２９】
中間見込み部３２の下面には、下框３の見込み方向における中心位置を示す略Ｖ字断面の溝罫３０７が形成されており、また中間見込み部３２の上面には厚肉部３２１が形成されていて、これらは戸車１３等の固定等に利用される。
【００３０】
両支保面部３１の見付け面には、互いに平行に延びる上中下三段の支保突条３１２がそれぞれ形成されており、これらの支保突条３１２が面材１２の裏面に当接する。上框２と同様に、前後両側の支保突条３１２の頂面間寸法が両面材１２間の保持間隔Ｄとなる。
【００３１】
上段の支保突条３１２よりも上側の部分は、下側の部分よりも若干、見込み寸法が小さくなっていて、その見付け面には、後述する補助材５（図５）を連結するための係合凹部３６が形成されている。また、上側見込み部３３の上面は略平坦な水平面となされ、その中央部には下框３の見込み方向における中心位置を示す略Ｖ字断面の溝罫３０８が形成されている。上側見込み部３３の下面側には、タッピングホール３０９が形成されていて、このタッピングホール３０９は下框３と縦框４とのビス止めに利用される（詳細は後述）。
【００３２】
縦框４は、図３に示すように、前後両側の面材１２に挟まれて両面材１２の間隔を一定に保持する本体部分４０を備える。本体部分４０は、左右方向における中間部分が見込み方向に凹んだ断面形状をなしており、両面材１２を裏支えする前後一対の支保面部４１と、支保面部４１の外縁部同士を前後方向に接続する外側見込み部４２と、支保面部４１の内縁部同士を前後方向に接続する内側見込み部４３と、によって中空状に囲まれている。その中空部分は、さらに、本体部分４０の左右方向における中間位置よりもやや内側寄りに形成された中仕切部４１１によって内外２つの区画に仕切られている。
【００３３】
外側見込み部４２には、緩衝材取付用溝部４２１が形成されている。ここには、戸体１を閉じたときの戸当りとなる合成ゴムや軟質樹脂製の緩衝材１５が嵌め込まれる。緩衝材取付用溝部４２１の内底面には、縦框４の見込み方向における中心位置を示す略Ｖ字断面の溝罫４０７が形成されている。
【００３４】
支保面部４１の外縁部には、外側見込み部４２の最外面と面一になるようにして前方および後方にそれぞれ張り出す面材包囲部４４と、両面材包囲部４４の縁部からそれぞれ内向きに延出する面材押え片４５と、が設けられている。これら面材包囲部４４および面材押え片４５と、支保面部４１とによって形成される断面コ字形の溝部が、縦框４の面材収容溝４Ｇとなる。
【００３５】
各支保面部４１の左右方向における中間部分には、上下方向に延びる操作凹部４７が形成されている。操作凹部４７は断面略円弧状をなし、互いの凸面を対向させて前後両側に形成されている。前述した中仕切部４１１は、操作凹部４７の内縁部近傍に接続されている。
【００３６】
操作凹部４７よりも外側の部分における両支保面部４１の表面間寸法は、両面材１２間の保持間隔Ｄに合致している。操作凹部４７よりも内側の部分は、外側の部分よりも若干、見込み寸法が小さくなっていて、その見付け面には、後述する補助材５（図５）を連結するための係合凹部４６が形成されている。
【００３７】
内側見込み部４３の内側面は略平坦な垂直面となされ、その中央部には縦框４の見込み方向における中心位置を示す略Ｖ字断面の溝罫４０８が形成されている。また、内側見込み部４３の中空部側には厚肉部４３１が形成されている。この溝罫４０８や厚肉部４３１は、後述する引手框６（図７）のビス止めに利用される（詳細は後述）。
【００３８】
図４は、縦框４と横框との接合構造を示す。
【００３９】
縦框４と上框２との接合部においては、図１に示したように、縦框４の本体部分４０の上端部が、外側見込み部４２およびその近傍部分を残して、正面視Ｌ字形に切り欠かれる。切欠部分の高さ寸法は上框２の高さ寸法と略同寸であり、縦框４の外側に残されて上方に延びる部分の見付け寸法は、縦框４の面材押え片４５の見付け寸法と略同寸である。そして、横方向の切欠端面に上框２の本体部分２０が載置され、縦方向の切欠端面に上框２の端面が突き当てられた状態で、縦框４の緩衝材取付用溝部４２１の内底面から上框２の下側見込み部２３に形成されたタッピングホール２０９に対してビスが止め付けられる。これにより、縦框４と上框２とが、互いの支保面部４１、２１同士および互いの面材収容溝４Ｇ、２Ｇ同士を正面視Ｌ字形に連続させるようにして接合される。
【００４０】
縦框４と下框３との接合部においても、上框２との接合部とおおむね同様に、縦框４の本体部分４０の下端部が、図１に示したように、外側見込み部４２およびその近傍部分を残して、正面視Ｌ字形に切り欠かれる。切欠部分の高さ寸法は下框３の高さ寸法と略同寸であり、縦框４の外側に残されて下方に延びる部分の見付け寸法は、縦框４の面材押え片４５の見付け寸法と略同寸である。そして、横方向の切欠端面に下框３の本体部分３０が押し当てられ、縦方向の切欠端面に下框３の端面が突き当てられた状態で、縦框４の緩衝材取付用溝部４２１の内底面から下框３の上側見込み部３３に形成されたタッピングホール３０９に対してビスが止め付けられる。これにより、縦框４と下框３とが、互いの支保面部４１、３１同士および互いの面材収容溝４Ｇ、３Ｇ同士を正面視Ｌ字形に連続させるようにして接合される。
【００４１】
図５は、基本構造となる框体１１に必要に応じて添設される補助材５の断面形状を示す。補助材５は、細幅の頂面部５３を挟んで断面略Ｖ字形に接続する前後一対の傾斜面部５８と、それら両傾斜面部５８の裾縁から外向きに延設されて互いに対向する前後一対の支保面部５１と、を有する。縦框４と同様に、両支保面部５１の表面間寸法が両面材１２間の保持間隔Ｄに合致している。
【００４２】
両支保面部５１の外縁部には、見込み方向に突出して互いに対向する前後一対の係合爪５６が形成されている。これらの係合爪５６は、前記各框材の本体部分の内縁部近傍に形成された係合凹部２６、３６、４６、に前後両側から係止される。このような補助材５を必要に応じて上框２、下框３、縦框４に添設することにより、各框材の面材収容溝２Ｇ、３Ｇ、４Ｇに面材１２の縁部を挿し込む際の誘導が容易になるとともに、框体１１に組み付けられた面材１２のバタつきが抑制される。
【００４３】
このように横框（上框２・下框３）と縦框４とを四周組みして框体１１を形成し、その外縁部の前後両側に設けられた面材収容溝２Ｇ、３Ｇ、４Ｇに面材１２の四周の縁部を収容する戸体１の基本構造は、横框と縦框４との接合に際して部材を切り欠くべき部分が縦框４の上下端部近傍だけでよく、しかも、その切欠部分の形状が単純なＬ字形になるので、切欠加工や接合作業が容易になる、という利点を有している。
【００４４】
ただし、この基本構造では、縦框４に形成された操作凹部４７が面材１２に隠れてしまう。したがって、戸体１が引戸として設置される場合、縦框４の操作凹部４７は、戸体１を開閉する際の指掛かりにすることができない。そこで、縦框４の本体部分４０の内側に引手框６を添設することで、操作凹部４７を利用可能にする構成を以下に開示する。
【００４５】
＜第１実施形態＞
図６は、前述の基本構造に引手框６を追加した第１実施形態にかかる戸体１を示す。図６（ａ）は該戸体１の正面図であり、図６（ｂ）は該戸体１の横断面図である。例示の戸体１は、正面視左側の縦框４の内縁部に、その略全長にわたって１本の引手框６が添設されている。
【００４６】
図７は、引手框６の断面形状を示す。引手框６は、前後両側の面材１２に挟まれて両面材１２を裏支えする前後一対の支保面部６１と、支保面部６１の左右方向における中間部同士を前後方向に接続する見込み部６２と、各支保面部６１の内縁部から框体１１の内側へ延び出しつつ、互いに前後方向に接近する前後一対の傾斜面部６８と、各傾斜面部６８の内縁部と見込み部６２とを左右方向に接続する前後一対の内側対向部６３と、を有する。
【００４７】
縦框４と同様に、両支保面部６１の表面間寸法が両面材１２間の保持間隔Ｄに合致している。支保面部６１と見込み部６２と傾斜面部６８と内側対向部６３とによって囲まれた中空部分は、断面形状が台形状になっている。相対する内側対向部６３に挟まれた見込み部６２の内側面には、引手框６の見込み方向における中心位置を示す略Ｖ字断面の溝罫６０８が形成されている。
【００４８】
各支保面部６１の外縁部には、前方および後方にそれぞれ張り出す面材包囲部６４と、両面材包囲部６４の縁部からそれぞれ内向きに延出する面材押え片６５と、が設けられている。これら面材包囲部６４および面材押え片６５と、支保面部６１とによって形成される断面コ字形の溝部が、引手框６の面材収容溝６Ｇとなる。
【００４９】
この引手框６は、両支保面部６１と見込み部６２とによって囲まれた凹部を、縦框４の本体部分４０の内縁部近傍に被せるようにして縦框４に添設される。そして、引手框６の見込み部６２の内側から、縦框４の内側見込み部４３の厚肉部４３１に対してビス止めすることにより、引手框６が縦框４に一体化される。
【００５０】
図８は、引手框６と横框との接合構造を示す。
【００５１】
縦框４と上框２とは、図１および図４に示した通りに接合されるが、その縦框４に添設される引手框６は、その上端部が、面材包囲部６４および面材押え片６５を残して側面視凹形に切り欠かれる。切欠部分の高さ寸法は、上框２における面材押え片２５の下縁部以下の高さ寸法と略同寸であり、この切欠部分に上框２の本体部分２０が収容される。そして、縦框４に添設された引手框６と、縦框４に接合された上框２とがこのような形態で組み付けられることにより、引手框６と上框２とが、互いの支保面部６１、２１同士および互いの面材収容溝６Ｇ、２Ｇ同士を正面視Ｌ字形に連続させるようにして間接的に接合される。
【００５２】
下框３に対しても同様に、縦框４と下框３とが図１および図４に示した通りに接合され、その縦框４に添設される引手框６の下端部が、面材包囲部６４および面材押え片６５を残して、側面視凹形に切り欠かれる。切欠部分の高さ寸法は、下框３の面材押え片３５の上縁部以上の高さ寸法と略同寸であり、この切欠部分に下框３の本体部分３０が収容される。框４に添設された引手框６と、縦框４に接合された下框３とがこのような形態で組み付けられることにより、引手框６と下框３とが、互いの支保面部６１、３１同士および互いの面材収容溝６Ｇ、３Ｇ同士を正面視Ｌ字形に連続させるようにして間接的に接合される。
【００５３】
縦框４の内側にこのような引手框６を添設し、面材１２の縦方向の縁部を縦框４ではなく引手框６の面材収容溝６Ｇに収容すると、縦框４の本体部分４０に形成された操作凹部４７が面材１２に隠れることなく、縦框４の略全長にわたって露出する。この操作凹部４７は、戸体１を開閉する際の指掛かりとして利用することができる。操作凹部４７の外側には縦框４の面材押え片４５が手前にせり出し、操作凹部４７の内側には引手框６の面材包囲部６４が手前にせり出すので、戸体１を左右いずれの向きに動かす場合も確実な指掛かりが得られる。このような操作凹部４７が戸体１の高さ一杯にわたって設けられることで、利用者の身長差にかかわらず戸体１の開閉操作が容易になる。
【００５４】
なお、図６に示した形態は、図示右側の縦框４に対しては引手框６を添設せず、縦框４の面材収容溝４Ｇに面材１２の縦方向の縁部を収容して、縦框４に形成された操作凹部４７を隠している。このように、本願が開示する戸体１は、縦框４が戸体１の戸先側および戸尻側のどちらにも利用可能な断面形状を有しているので、部材の活用効率にも優れる。戸体１の設置形態によっては、左右両側の縦框４に引手框６を添設して、左右両側の操作凹部４７を利用できるようにすることも、もちろん可能である。
【００５５】
＜第２実施形態＞
図９は、前述の第１実施形態に横中桟７を追加して面材１２を上下方向に分割した、第２実施形態にかかる戸体１を示す。図９（a）は該戸体１の正面図であり、図９（ｂ）は該戸体１の縦断面図である。例示の戸体１は、上下方向における中間部二か所に横中桟７が取り付けられて面材１２が三分割されるとともに、上下の横中桟７に挟まれた中段部分においては、正面視左側の縦框４に前述の引手框６が添設されている。
【００５６】
図１０は、横中桟７の断面形状を示す。横中桟７は、前後両側の面材１２に挟まれて両面材１２の間隔を一定に保持する本体部分７０を備える。本体部分７０は、横長の中空断面をなしており、その上下方向における一方（図１０では上部）において両面材１２を裏支えする前後一対の第１支保面部７１ａと、他方（同、下部）において両面材１２を裏支えする前後一対の第２支保面部７１ｂと、を有している。両第１支保面部７１ａの縁部同士は第１見込み部７２ａを介して前後方向に接続され、両第２支保面部７１ｂの縁部同士は第２見込み部７２ｂを介して前後方向に接続されている。基本的には、第１支保面部７１ａおよび第１見込み部７２ａが框体１１の外側に、第２支保面部７１ｂおよび第２見込み部７２ｂが框体１１の内側に、それぞれ位置するようにして框体１１に組み付けられる。ただし、例示形態の横中桟７は、内側と外側とを逆にして組み付けることも可能である。
【００５７】
第２見込み部７２ｂは、その前後両縁部が第２支保面部７１ｂよりもわずかに突出して、それらの縁部間寸法が両面材１２間の保持間隔Ｄとなる。第１支保面部７１ａ同士の対向間隔は、第２支保面部７１ｂ同士の対向間隔よりも若干、小さくなっていて、第１支保面部７１ａの見付け面には、前述した補助材５を連結するための係合凹部７６が形成されている。本体部分７０の中央部分には、第１見込み部７２ａおよび第２見込み部７２ｂの両方に連続するようにしてタッピングホール７０９が形成されている。
【００５８】
第１支保面部７１ａと第２支保面部７１ｂとの接続箇所には、前方および後方にそれぞれ張り出す面材包囲部７４と、両面材包囲部７４の縁部からそれぞれ上下両向きに延出する面材押え片７５とが設けられている。面材押え片７５の上縁部および下縁部の高さは、本体部分７０における第１見込み部７２ａの上面および第２見込み部７２ｂの下面の高さに揃えられている。そして、面材包囲部７４および面材押え片７５と、第１支保面部７１ａおよび第２支保面部７１ｂとによって囲まれた、上下両向きに開口する前後各二か所、計四か所の溝部が、横中桟７の面材収容溝７Ｇとなる。
【００５９】
図１１は、横中桟７と、縦框４および引手框６との接合構造を示す。
【００６０】
縦框４と横中桟７との接合部においては、縦框４の本体部分４０が、外側見込み部４２およびその近傍部分を残して、正面視コ字形に切り欠かれる。切欠部分の高さ寸法は横中桟７の本体部分７０の高さ寸法と略同寸であり、縦框４の外側に残される部分の見付け寸法は、縦框４の面材押え片４５の見付け寸法と略同寸である。その切欠部分に横中桟７の端部が挿し込まれ、縦方向の切欠端面に横中桟７の端面が突き当てられた状態で、縦框４の緩衝材取付用溝部４２１の内底面から横中桟７の本体部分７０に形成されたタッピングホール７０９に対してビスが止め付けられる。これにより、縦框４と横中桟７とが、互いの支保面部４１、７１（ａ、ｂ）同士および互いの面材収容溝４Ｇ、７Ｇ同士を正面視横Ｔ字形に連続させるようにして接合される。
【００６１】
そして、上下の横中桟７に挟み込まれるようにして、縦框４に引手框６が添設される。引手框６は、上下の横中桟７の対向間隔と略同寸の長さに切断されて、図７と同じ形態で縦框４に対してビス止めされる。これにより、横中桟７と引手框６も、互いの支保面部７１（ａ、ｂ）、６１同士および互いの面材収容溝７Ｇ、６Ｇ同士を正面視Ｌ字形に連続させるようにして間接的に接合される。
【００６２】
こうして框体１１の内側に横中桟７を架け渡すことにより、框体１１の剛性が向上する。そして、框体１１の上段部分および下段部分においては、面材１２の縁部が、横框（上框２または下框３）、左右の縦框４および横中桟７にそれぞれ設けられた面材収容溝２Ｇ、３Ｇ、４Ｇ、７Ｇに収容される。中段部分においては、面材１２の縁部が、上下の横中桟７と、左側の縦框４に連結された引手框６と、右側の縦框４と、にそれぞれ設けられた面材収容溝７Ｇ、６Ｇ、４Ｇに収容される。これにより、上下の横中桟７に挟まれた中段部分においては、左側の縦框４に形成された操作凹部４７が面材１２に隠れることなく露出する。この操作凹部４７は、戸体１を開閉する際の指掛かりとして利用することができる。
【００６３】
このように、本願発明が開示する戸体１は、引手框６および横中桟７を選択的に組み合わせることで、縦框４に形成された操作凹部４７を所望の高さに露出させ、それを開閉操作時の指掛りとして好適に利用することができるものである。
【００６４】
＜第３実施形態＞
図１２は、図１〜図５に示した基本構造に縦中桟８を追加した第３実施形態にかかる戸体１を示す。図１２（a）は該戸体１の正面図であり、図１２（ｂ）は該戸体１の横断面図である。例示の戸体１は、左右方向における中間部一か所に縦中桟８が取り付けられて面材１２が二分割されている。
【００６５】
縦中桟８は、図１３に示すように、前後両側の面材１２に挟まれて両面材１２の間隔を一定に保持する本体部分８０を備える。本体部分８０は、横長の略左右対称断面をなしており、その左右方向における一方において両面材１２を裏支えする前後一対の第１支保面部８１ａと、他方において両面材１２を裏支えする前後一対の第１支保面部８１ｂと、を有している。両第１支保面部８１ａは、その側縁部近傍が第１見込み部８２ａを介して前後方向に接続され、両第１支保面部８１ｂは、その側縁部近傍が第２見込み部８２ｂを介して前後方向に接続されている。例示の形態では、第１支保面部８１ａおよび第１見込み部８２ａが框体１１の戸先側（図１３における左側）に、第２支保面部８１ｂおよび第２見込み部８２ｂが框体１１の戸尻側（同、右側）に、それぞれ位置するようにして框体１１に組み付けられる。  縦框４および補助材５と同様に、両支保面部８１ａ、８１ｂの表面間寸法は両面材１２間の保持間隔Ｄに合致している。
【００６６】
本体部分８０の左右方向における中間部分、つまり第1支保面部８１ａと第２支保面部８１ｂとの間には、上下方向に延びる操作凹部８７が形成されている。操作凹部８７は断面略円弧状をなし、互いの凸面を対向させて前後両側に形成されている。前後の操作凹部８７は、それらの間に形成されたタッピングホール８０９を介して一体的に連続している。
【００６７】
この操作凹部８７を間に挟んで、その左右両側には、前後二か所ずつ、計四か所の面材収容溝８Ｇが設けられている。図示左側については、第１支保面部８１ａの前方および後方に、それぞれ第１面材包囲部８４ａが張り出している。第１面材包囲部８４ａの縁部には、第１面材押え片８５ａが左右両向きに延出している。図示右側については、第２支保面部８１ｂの前方および後方に、それぞれ第２面材包囲部８４ｂが張り出している。第２面材包囲部８４ｂの縁部には、第２面材押え片８５ｂが右向きに延出している。これら第１面材包囲部８４ａと第１面材押え片８５ａの左側片と第１支保面部８１ａとによって囲まれた、図示左向きに開口する断面略コ字形の溝部、および第２面材包囲部８４ｂと第２面材押え片８５ｂと第１支保面部８１ｂとによって囲まれた、図示右向きに開口する断面略コ字形の溝部が、縦中桟８の面材収容溝８Ｇとなる。
【００６８】
また、両支保面部８１ａ、８１ｂの側縁部には、細幅の頂面部８３を挟んで断面略Ｖ字形に接続する前後一対の傾斜面部８８が、両支保面部８１ａ、８１ｂと一体的に連続するように形成されている。
【００６９】
図１４は、縦中桟８と横框との接合構造を示す。
【００７０】
縦中桟８と上框２との接合部においては、縦中桟８の上端部の、第１見込み部８２ａよりも左側の部分と、第２見込み部８２ｂよりも右側の部分とが、それぞれ正面視Ｌ字形に切り欠かれる。切欠部分の高さ寸法は、上框２における面材押え片２５の下縁部以下の高さ寸法と略同寸である。また、上框２の本体部分２０が、上側見込み部２２およびその近傍部分を残して、正面視門形に切り欠かれる。切欠部分の横幅は、縦中桟８の第１見込み部８２ａから第２見込み部８２ｂまでの横幅と略同寸であり、上框２の上部に残される部分の高さは、上框２の面材押え片２５の見付け寸法と略同寸である。そして、上框２の切欠部分に縦中桟８の上端部が挿し込まれ、上框２の上側見込み部２２の上面から縦中桟８の本体部分８０に形成されたタッピングホール８０９に対してビスが止め付けられる。これにより、上框２と縦中桟８とが、互いの支保面部２１、８１（ａ、ｂ）同士および互いの面材収容溝２Ｇ、８Ｇ同士を正面視Ｌ字形に連続させるようにして接合される。
【００７１】
縦中桟８と下框３との接合部においては、縦中桟８の下端部の本体部分８０が、第１面材包囲部８４ａとｄ第１面材押え片８５ａ、および第２面材包囲部８４ｂと第２面材押え片８５ｂを残して、側面視凹形に切り欠かれる。切欠部分の高さ寸法は、下框３の面材押え片３５の上縁部以上の高さ寸法と略同寸であり、この切欠部分に下框３の本体部分３０が収容される。そして、下框３の中間見込み部３２の下面から縦中桟８の本体部分８０に形成されたタッピングホール８０９に対してビスが止め付けられる。これにより、下框３と縦中桟８とが、互いの支保面部３１、８１（ａ、ｂ）同士および互いの面材収容溝３Ｇ、８Ｇ同士を正面視Ｌ字形に連続させるようにして接合される。
【００７２】
框体１１の左右方向における中間部にこのような縦中桟８を連結し、左右の面材１２の縁部をそれぞれ縦中桟８の左右の面材収容溝８Ｇに収容すると、縦中桟８の本体部分８０に形成された操作凹部８７が面材１２に隠れることなく、縦中桟８の略全長にわたって露出する。この操作凹部８７は、戸体１を開閉する際の指掛かりとして利用することができる。操作凹部８７の左右両側には縦中桟８の面材包囲部８４および面材押え片８５が手前にせり出すので、戸体１を左右いずれの向きに動かす場合も確実な指掛かりが得られる。このような操作凹部８７が戸体１の高さ一杯にわたって設けられることで、利用者の身長差にかかわらず戸体１の開閉操作が容易になる。
【００７３】
以上に説明したように、本願が開示する戸体１は、横框（上框２、下框３）と縦框４とからなる基本構造としての框体１１に、オプション部材としての引手框６、横中桟７、縦中桟８、補助材５を選択的に取り付けて構成される。縦框４および横框と、複数種類のオプション部材とは、面材１２を裏支えする支保面部や、面材１２の縁部を保持する面材収容溝が互いに納まりよく連続するように、それぞれの断面形状が合理的にシステム化されている。
【００７４】
縦框４には、その本体部分４０にあらかじめ操作凹部４７が形成されており、戸先側の縦框４については、その内側に引手框６を添設して、面材１２の縁部を引手框６の面材収容溝６Ｇに収容することで、縦框４に形成された操作凹部４７を、開閉操作時の指掛りとして利用することができる。戸尻側に配置される縦框４については、面材１２の縁部を縦框４の面材収容溝４Ｇに収容することで、縦框４に形成された操作凹部４７を隠し、縦框４の見えがかり面を最小化して、戸体１の縁部を端正に仕上げることができる。
【００７５】
さらに、この戸体１は、横中桟７を用いて上下方向に分割することができ、そこに引手框６を組み合わせることもできる。この場合は、横中桟７によって分割された区画ごとに、縦框４に引手框６を添設するかしないかを選択することができるので、戸体１の任意の高さの範囲内に指掛かりを配置することが可能になる。
【００７６】
また、この戸体１は、縦中桟８を用いて戸体１を左右方向に分割することもできる。縦中桟８にも、その本体部分８０にあらかじめ操作凹部８７が形成されているので、縦中桟８の取付位置を左右に動かすことで、指掛りの位置を任意に設定することができる。
【００７７】
さらに、具体的には図示しないが、横中桟７を用いて戸体１を上下方向に分割し、分割された区画のいずれに縦中桟８を取り付ける、という組合せパターンも可能である。
【００７８】
これらの構成を採用することで、指掛りの配置に関する設計上の自由度が飛躍的に拡大し、戸体１の大きさや設置形態に応じて、開閉操作のための指掛りを様々な部位に設けることができる。基本構造としての框体１１を構成する上框２、下框３、縦框４と、オプション部材としての引手框６、横中桟７、縦中桟８、補助材５は、断面形状が互いに整合するようにシステム化されているので、戸体１の外形寸法や分割パターンが様々に変化しても有効に活用することができる。かくして、戸体１の意匠性および施工性が向上し、施工コストの低減も図られる。
【００７９】
なお、本願が開示する発明の技術的範囲は、例示した実施の形態によって限定的に解釈されるべきものではなく、特許請求の範囲の記載に基づいて概念的に解釈されるべきものである。本願が開示する発明の実施に際しては、特許請求の範囲において具体的に特定していない部材・部品の形状や構造、位置関係、接合形態等を、例示形態と実質的に同様の作用効果が得られる範囲内で適宜、改変して実施することができる。
【符号の説明】
【００８０】
１  戸体
１１  框体
１２  面材
１３  戸車
１４  吊り車
１４１  ブラケット
１４２  吊り軸
１４３  走行ローラ
１５  緩衝材
２  上框
２０  本体部分
２０８  溝罫
２０９  タッピングホール
２１  支保面部
２１１  補強リブ
２１２  支保突条
２２  上側見込み部
２２９  切欠部
２３  下側見込み部
２４  面材包囲部
２５  面材押え片
２６  係合凹部
２Ｇ  面材収容溝
３  下框
３０  本体部分
３０７  溝罫
３０８  溝罫
３０９  タッピングホール
３１  支保面部
３１１  補強リブ
３１２  支保突条
３２  中間見込み部
３２１  厚肉部
３２９  切欠部
３３  上側見込み部
３４  面材包囲部
３５  面材押え片
３６  係合凹部
３Ｇ  面材収容溝
４  縦框
４０  本体部分
４０７  溝罫
４０８  溝罫
４１  支保面部
４１１  中仕切部
４２  外側見込み部
４２１  緩衝材取付用溝部
４３  内側見込み部
４３１  厚肉部
４４  面材包囲部
４５  面材押え片
４６  係合凹部
４７  操作凹部
４Ｇ  面材収容溝
５  補助材
５１  支保面部
５３  頂面部
５６  係合爪
５８  傾斜面部
６  引手框
６０８  溝罫
６１  支保面部
６２  見込み部
６３  内側対向部
６４  面材包囲部
６５  面材押え片
６８  傾斜面部
６Ｇ  面材収容溝
７  横中桟
７０  本体部分
７０９  タッピングホール
７１ａ  第１支保面部
７１ｂ  第２支保面部
７２ａ  第１見込み部
７２ｂ  第２見込み部
７４  面材包囲部
７５  面材押え片
７６  係合凹部
７Ｇ  面材収容溝
８  縦中桟
８０  本体部分
８０９  タッピングホール
８１ａ  第１支保面部
８１ｂ  第２支保面部
８２ａ  第１見込み部
８２ｂ  第２見込み部
８３  頂面部
８４a  第１面材包囲部
８４ｂ  第２面材包囲部
８５ａ  第１面材押え片
８５ｂ  第２面材押え片
８７  操作凹部
８８  傾斜面部
８Ｇ  面材収容溝 
【図１】
2020122276.tif 000003
【図２】
2020122276.tif 000004
【図３】
2020122276.tif 000005
【図４】
2020122276.tif 000006
【図５】
2020122276.tif 000007
【図６】
2020122276.tif 000008
【図７】
2020122276.tif 000009
【図８】
2020122276.tif 000010
【図９】
2020122276.tif 000011
【図１０】
2020122276.tif 000012
【図１１】
2020122276.tif 000013
【図１２】
2020122276.tif 000014
【図１３】
2020122276.tif 000015
【図１４】
2020122276.tif 000016
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記前後両側の面材が対向して框体に組み付けられる戸体において、
前記縦框は、前記前後両側の面材に挟まれて前記前後両側の面材の間隔を一定に保持する本体部分を備え、
前記本体部分には、前記前後両側の面材を裏支えする前後一対の支保面部が形成され、
前記各支保面部の外縁部に沿って前記面材収容溝が設けられるとともに、
前記各支保面部の左右方向における中間部分には上下方向に延びる操作凹部が形成されており、
前記一対の縦框の少なくとも一方については、その本体部分の内縁部に引手框が添設され、
前記引手框は、前記前後両側の面材に挟まれて前記前後両側の面材を裏支えする前後一対の支保面部と、前記支保面部の外縁部に沿って設けられた前後一対の面材収容溝と、を具備して、
前記引手框は前記横框に対し、前記引手框の面材収容溝と前記横框の面材収容溝とが正面視Ｌ字形に連続するように組み付けられ、
前記引手框の面材収容溝に前記面材の縦方向の縁部が収容されることにより、前記縦框の支保面部に形成された操作凹部が前記面材に隠れずに露出して、戸体を開閉する際の指掛りとなる
ことを特徴とする戸体。
【請求項２】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記前後両側の面材が対向して框体に組み付けられる戸体において、
前記縦框は、前記前後両側の面材に挟まれて前記前後両側の面材の間隔を一定に保持する本体部分を備え、
前記本体部分には、前記前後両側の面材を裏支えする前後一対の支保面部が形成され、
前記各支保面部の外縁部に沿って前記面材収容溝が設けられるとともに、
前記各支保面部の左右方向における中間部分には上下方向に延びる操作凹部が形成されており、
前記両縦框の間に１本ないし複数本の横中桟が取り付けられ、
前記横中桟は、前記前後両側の面材に挟まれて前記前後両側の面材の間隔を一定に保持する本体部分を備え、
前記本体部分には、その上下両向きに開口する前後二か所ずつ、計四か所の面材収容溝が設けられ、
前記横中桟は前記縦框に対し、前記横中桟の面材収容溝と前記縦框の面材収容溝とが正面視横Ｔ字形に連続するように接合されるとともに、
前記横中桟によって上下方向に分割された区画の少なくとも一か所において、前記縦框の本体部分の内縁部に引手框が添設され、
前記引手框は、前記前後両側の面材に挟まれて前記前後両側の面材を裏支えする前後一対の支保面部と、前記支保面部の外縁部に沿って設けられた前後一対の面材収容溝と、を具備して、
前記引手框は前記横框または横中桟に対し、前記引手框の面材収容溝と前記横框または横中桟の面材収容溝とが正面視Ｌ字形に連続するように組み付けられ、
前記引手框の面材収容溝に当該区画の面材の縦方向の縁部が収容されることにより、当該区画においては前記縦框の支保面部に形成された操作凹部が前記面材に隠れずに露出して、戸体を開閉する際の指掛りとなる
ことを特徴とする戸体。
【請求項３】
上下一対の横框と左右一対の縦框とを四周組みして框体が形成され、
前記框体の外縁部の前後両側に面材収容溝が設けられて、前記面材収容溝に前後両側の面材の縁部が収容されることにより、前記前後両側の面材が対向して框体に組み付けられる戸体において、
前記縦框は、前記前後両側の面材に挟まれて前記前後両側の面材の間隔を一定に保持する本体部分を備え、
前記本体部分には、前記前後両側の面材を裏支えする前後一対の支保面部が形成され、
前記各支保面部の外縁部に沿って前記面材収容溝が設けられており、
前記両横框の間に１本ないし複数本の縦中桟が取り付けられ、
前記縦中桟は、前記前後両側の面材に挟まれて前記前後両側の面材の間隔を一定に保持する本体部分を備え、
前記本体部分には、その左右方向における中間部分にて上下方向に延びる操作凹部が形成されるとともに、
前記操作凹部を間に挟んで、その左右両側に、前後二か所ずつ、計四か所の面材収容溝がそれぞれ前記操作凹部と反対向きに開口するように設けられ、
前記縦中桟は前記横框に対し、前記縦中桟の面材収容溝と前記横框の面材収容溝とが正面視Ｌ字形に連続するように接合され、
前記縦中桟の面材収容溝に前記面材の縦方向の縁部が収容されることにより、前記縦中桟の本体部分に形成された操作凹部が前記面材に隠れずに露出して、戸体を開閉する際の指掛りとなる
ことを特徴とする戸体。
【請求項４】
請求項１、２または３に記載された戸体において、
前記横框、縦框または横中桟の少なくともいずれか一つに対して、前後一対の傾斜面部と、それら両傾斜面部の裾縁から延設されて互いに対向する前後一対の支保面部と、を有する補助材が添設された
ことを特徴とする戸体。 
【手続補正２】
【補正対象書類名】明細書
【補正対象項目名】０００７
【補正方法】変更
【補正の内容】
【０００７】
本願が開示する発明の戸体は、上下一対の横框と左右一対の縦框とを四周組みして框体が形成され、前記框体の外縁部の前後両側に面材収容溝が設けられて、前記面材収容溝に前後両側の面材の縁部が収容されることにより、前記前後両側の面材が対向して框体に組み付けられる戸体において、前記縦框が、前記前後両側の面材に挟まれて前記前後両側の面材の間隔を一定に保持する本体部分を備え、前記本体部分には、前記前後両側の面材を裏支えする前後一対の支保面部が形成され、前記各支保面部の外縁部に沿って前記面材収容溝が設けられる、という基本構造を備える。 
【手続補正３】
【補正対象書類名】明細書
【補正対象項目名】０００８
【補正方法】変更
【補正の内容】
【０００８】
そして、第１の発明は、前述の基本構造に加えて、前記各支保面部の左右方向における中間部分には上下方向に延びる操作凹部が形成されるとともに、前記一対の縦框の少なくとも一方については、その本体部分の内縁部に引手框が添設され、前記引手框は、前記前後両側の面材に挟まれて前記前後両側の面材を裏支えする前後一対の支保面部と、前記支保面部の外縁部に沿って設けられた前後一対の面材収容溝と、を具備して、前記引手框は前記横框に対し、前記引手框の面材収容溝と前記横框の面材収容溝とが正面視Ｌ字形に連続するように組み付けられ、前記引手框の面材収容溝に前記面材の縦方向の縁部が収容されることにより、前記縦框の支保面部に形成された操作凹部が前記面材に隠れずに露出して、戸体を開閉する際の指掛りとなる、との構成を採用する。 
【手続補正４】
【補正対象書類名】明細書
【補正対象項目名】００１０
【補正方法】変更
【補正の内容】
【００１０】
次に、第２の発明は、前述の基本構造に加えて、前記各支保面部の左右方向における中間部分には上下方向に延びる操作凹部が形成されるとともに、前記両縦框の間に１本ないし複数本の横中桟が取り付けられ、前記横中桟は、前記前後両側の面材に挟まれて前記前後両側の面材の間隔を一定に保持する本体部分を備え、前記本体部分には、その上下両向きに開口する前後二か所ずつ、計四か所の面材収容溝が設けられ、前記横中桟は前記縦框に対し、前記横中桟の面材収容溝と前記縦框の面材収容溝とが正面視横Ｔ字形に連続するように接合されるとともに、前記横中桟によって上下方向に分割された区画の少なくとも一か所において、前記縦框の本体部分の内縁部に引手框が添設され、前記引手框は、前記前後両側の面材に挟まれて前記前後両側の面材を裏支えする前後一対の支保面部と、前記支保面部の外縁部に沿って設けられた前後一対の面材収容溝と、を具備して、前記引手框は前記横框または横中桟に対し、前記引手框の面材収容溝と前記横框または横中桟の面材収容溝とが正面視Ｌ字形に連続するように組み付けられ、前記引手框の面材収容溝に当該区画の面材の縦方向の縁部が収容されることにより、当該区画においては前記縦框の支保面部に形成された操作凹部が前記面材に隠れずに露出して、戸体を開閉する際の指掛りとなる、との構成を採用する。 
【手続補正５】
【補正対象書類名】明細書
【補正対象項目名】００１２
【補正方法】変更
【補正の内容】
【００１２】
さらに、第３の発明は、前述の基本構造に加えて、前記両横框の間に１本ないし複数本の縦中桟が取り付けられ、前記縦中桟は、前記前後両側の面材に挟まれて前記前後両側の面材の間隔を一定に保持する本体部分を備え、前記本体部分には、その左右方向における中間部分にて上下方向に延びる操作凹部が形成されるとともに、前記操作凹部を間に挟んで、その左右両側に、前後二か所ずつ、計四か所の面材収容溝がそれぞれ前記操作凹部と反対向きに開口するように設けられ、前記縦中桟は前記横框に対し、前記縦中桟の面材収容溝と前記横框の面材収容溝とが正面視Ｌ字形に連続するように接合され、前記縦中桟の面材収容溝に前記面材の縦方向の縁部が収容されることにより、前記縦中桟の本体部分に形成された操作凹部が前記面材に隠れずに露出して、戸体を開閉する際の指掛りとなる、との構成を採用する。